(57)【要約】【課題】商品前出し体の後方スペースを無くし、載置商品の設置スペースを大きくすると共に、商品前出し体の前方移動を円滑にした商品前出し具を提供すること。【解決手段】設置面に載置されると共に、商品が載置される基板１と、基板上を前後に移動自在に取り付けられる基板部２１と、基板部の後端から上方に延びる前方の商品を押圧する商品押圧板２２を備える商品前出し体２と、側板４に前後移動自在に付設される、商品前出し体を前方に引き出す引き出し体３と、を有し、商品前出し体２の基板部２１の裏面には、引き出し体３と当接する第１当接部２４を付設し、引き出し体３には、第１当接部と当接する第２当接部３４を付設し、第１当接部２４及び第２当接部３４は、商品押圧板２２より前方に位置する商品前出し具１０。【選択図】図４
2020171362.tif 000002
【特許請求の範囲】
【請求項１】
設置面に載置される商品前出し具であって、
設置面に載置されると共に、商品が載置される基板と、
該基板上を前後に移動自在に取り付けられる基板部と、該基板部の後端から上方に延びる前方の商品を押圧する商品押圧板を備える商品前出し体と、
該基板又は該基板の一方の側端から起立した側板に前後移動自在に付設される、該商品前出し体を前方に引き出す引き出し体と、を有し、
該商品前出し体の基板部の裏面には、該引き出し体と当接する第１当接部を付設し、
該引き出し体には、該第１当接部と当接する第２当接部を付設し、該第１当接部及び該第２当接部は、該商品押圧板より前方に位置し、該引き出し体を前方へ引き出す際、該第１当接部と該第２当接部が当接し、該商品前出し体が前方へ引き出されることを特徴とする商品前出し具。
【請求項２】
該基板は、左右方向の中央で前後方向に延びる開口により形成される左右の小基板の内側角部であるガイドレールを有し、
該商品前出し体の基板部は、該商品押圧板が付設される上部基板部と、該上部基板部の裏面から下方に延び次いで横方向外側に屈曲して延びる左右一対の下部基板部と、を有し、
該ガイドレールは、該上部基板部と該下部基板部間に前後移動自在に挿通されることを特徴とする請求項１に記載の商品前出し具。
【請求項３】
該第１当接部は、該一対の下部基板部の該側板側の下部基板部の裏面に付設され、該第２当接部と当接する後方を向いた第１当接面を有することを特徴とする請求項２記載の商品前出し具。
【請求項４】
該基板の一方の側端から起立した側板を備え、該引き出し体は、該側板の前後方向に延びる第２ガイドレールに前後に移動自在に係止する引き出し体本体部と、該基板の裏側に配設される係止板状体と、該引き出し本体部と該係止板状体を接続する該側板の外側に配設される外側連結帯部とを有し、該第２当接部は、該係止板状体の前端部であることを特徴とする請求項１〜３のいずれか１項に記載の商品前出し具。
【請求項５】
該第２当接部は、前方を向く第２当接面を有し、該第１当接面と該第２当接面が当接することを特徴とする請求項３又は４記載の商品前出し具。
【請求項６】
該第１当接面は、平坦面、凹面、凸面又は凹凸複合面であり、該第２当接面は、平坦面、凸面、凹面又は凸凹複合面であることを特徴とする請求項５記載の商品前出し具。
【請求項７】
該引き出し体は、バネ部材により該基板に接続されており、該引き出し体を前方へ引き出す際、バネ力に抗して行い、手を放すことで、該引き出し体は、元の位置に自動的に復帰することを特徴とする請求項１〜６のいずれか１項に記載の商品前出し具。
【請求項８】
該商品押圧板は、待機状態において、該基板の最後尾に位置することを特徴とする請求項１〜７のいずれか１項に記載の商品前出し具。
【発明の詳細な説明】
【技術分野】
【０００１】
本発明は、スーパーやコンビニの商品陳列に使用される商品の収納容積を大きくできる商品前出し具に関するものである。
【背景技術】
【０００２】
量販店、コンビニ、スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
【０００３】
しかしながら、新しい商品を後方の空間へ補充する作業は、前方にある商品が邪魔をして行い難い。また、奥にある商品を手前に移すのも大変な作業となっている。近年、このような新しい商品の補充を行い易くしたり、商品を常に前出し状態にする方法として、固定された商品陳列棚に商品前出し機能を有する商品前出し具を設置して、陳列商品を手動又は自動的に前に押し出すものが知られている。
【０００４】
例えば、ＷＯ２００６/０２７８７２公報には、商品を陳列する基板と、該基板に載置され、自然状態において常に前方移動状態にある商品押圧板を備える商品前出し体と、を有し、該商品前出し体の底板の裏面又は該基板の上面のいずれか一方又は両方に滑り手段を付設し、更に該基板の前方部に、更に商品転落防止板を付設した商品自動前出し具が開示されている。この商品自動前出し具によれば、基板上に商品が前後方向に多量に並ぶ場合であっても、陳列商品を自動的に確実に前に送り出す作用力があり、作業者の前出し作業の労力を軽減すると共に、顧客にとっては商品が取り出し易いものとなる。
【０００５】
ＷＯ２００７/２０７２５公報には、商品を載置する基板と、該基板上に常に前方移動状態に置かれる自動商品押圧体と、該自動商品押圧体の後方に位置し、手動による引き出し操作により前方移動して該自動商品押圧体又は陳列商品を押し出す手動押圧体と、を有することを特徴とする商品前出し具が開示されている。この商品前出し具によれば、前出しが容易な商品は作業者等の手を煩わせることなく自動的に前出しができ、押出し力が弱く自動前出しができない商品にのみ、補助的に手動操作で前出しすることができる。このため、重量物や袋状物のようにはみ出し部がある商品であっても、それほどの労力をかけることなく、全ての陳列商品を確実に前出しできる。このため、あらゆる形状や重量の陳列商品が並ぶ商品陳列棚を整然とした前出し状態とすることができる。
【先行技術文献】
【特許文献】
【０００６】
【特許文献１】ＷＯ２００６/０２７８７２号公報（請求項５）
【特許文献２】ＷＯ２００７/２０７２５号公報（請求項１）
【特許文献３】ＷＯ２００６/２８２４６号公報（請求項１）
【特許文献４】特開２０１５-２９８７５号公報（請求項１）
【発明の開示】
【発明が解決しようとする課題】
【０００７】
しかしながら、図１６及び図１７に示すように、ＷＯ２００７/２０７２５号公報などの従来の商品前出し具１００は、商品押圧体２００の後方に、長尺状の引き出し体の後端に接続される押し部２１０が位置している。このため、図１６のような待機状態において、商品押圧体２００の前方側の基板１１０上に載置される商品スペースが制限されるという問題がある。すなわち、商品押圧体２００の後方はデッドスペースとなっており、商品陳列の効率化という点で問題となっている。また、基板上を前後方向に移動自在にガイドされる商品押圧体２００は、押し部２１０により後ろから背面を押されるため、押圧力が水平方向以外に、斜め下方にも掛かり、摩擦抵抗が生じて、前出しが円滑に行われるとは言い難いものであった。
【０００８】
従って、本発明の目的は、商品前出し体の後方スペースを無くし、載置商品の設置スペースを大きくすると共に、商品前出し体の前方移動を円滑にした商品前出し具を提供することにある。
【課題を解決するための手段】
【０００９】
すなわち、本発明は、上記従来の課題を解決するものであって、設置面に載置される商品前出し具であって、設置面に載置されると共に、商品が載置される基板と、該基板上を前後に移動自在に取り付けられる基板部と、該基板部の後端から上方に延びる前方の商品を押圧する商品押圧板を備える商品前出し体と、該基板又は該基板の一方の側端から起立した側板に前後移動自在に付設される、該商品前出し体を前方に引き出す引き出し体と、を有し、該商品前出し体の基板部の裏面には、該引き出し体と当接する第１当接部を付設し、該引き出し体には、該第１当接部と当接する第２当接部を付設し、該第１当接部及び該第２当接部は、該商品押圧板より前方に位置し、該引き出し体を前方へ引き出す際、該第１当接部と該第２当接部が当接し、該商品前出し体が前方へ引き出されることを特徴とする商品前出し具を提供するものである。
【００１０】
また、本発明は、該基板は、左右方向の中央で前後方向に延びる開口により形成される左右の小基板の内側角部であるガイドレールを有し、該商品前出し体の基板部は、該商品押圧板が付設される上部基板部と、該上部基板部の裏面から下方に延び次いで横方向外側に屈曲して延びる左右一対の下部基板部と、を有し、該ガイドレールは、該上部基板部と該下部基板部間に前後移動自在に挿通されることを特徴とする前記商品前出し具を提供するものである。
【００１１】
また、本発明は、該第１当接部は、該一対の下部基板部の該側板側の下部基板部の裏面に付設され、該第２当接部と当接する後方を向いた第１当接面を有することを特徴とする前記商品前出し具を提供するものである。
【００１２】
また、本発明は、該基板の一方の側端から起立した側板を備え、該引き出し体は、該側板の前後方向に延びる第２ガイドレールに前後に移動自在に係止する引き出し体本体部と、該基板の裏側に配設される係止板状体と、該引き出し本体部と該係止板状体を接続する該側板の外側に配設される外側連結帯部とを有し、該第２当接部は、該係止板状体の前端部であることを特徴とする前記商品前出し具を提供するものである。
【００１３】
また、本発明は、該第２当接部は、前方を向く第２当接面を有し、該第１当接面と該第２当接面が当接することを特徴とする前記商品前出し具を提供するものである。
【００１４】
また、本発明は、該第１当接面は、平坦面、凹面、凸面又は凹凸複合面であり、該第２当接面は、平坦面、凸面、凹面又は凸凹複合面であることを特徴とする前記商品前出し具を提供するものである。
【００１５】
また、本発明は、該引き出し体は、バネ部材により該基板に接続されており、該引き出し体を前方へ引き出す際、バネ力に抗して行い、手を放すことで、該引き出し体は、元の位置に自動的に復帰することを特徴とする前記商品前出し具を提供するものである。
【００１６】
また、本発明は、該商品押圧板は、待機状態において、該基板の最後尾に位置することを特徴とする前記商品前出し具を提供するものである。
【発明の効果】
【００１７】
本発明によれば、商品前出し体と引き出し体の当接部を、商品が載置される基板の裏面で、且つ商品押圧板の前方位置において行うため、商品押圧板を基板の最後尾に位置されることが可能となり、商品押圧板の後方スペースを無くし、基板上の載置商品の設置スペースを大きくでき、陳列効率を高めることができると共に、商品前出し体を前方側から引っ張ることになり、商品前出し体の前方移動が円滑となる。
【図面の簡単な説明】
【００１８】
【図１】本発明の実施の形態における商品前出し具の斜視図である。
【図２】図１の商品前出し具を後方から前方へ見た他の斜視図である。
【図３】図１の商品前出し具を前方裏面から後方へ見た他の斜視図である。
【図４】図１の商品前出し具を後方裏面から前方へ見た他の斜視図である。
【図５】図１のＸ線に沿って見た断面図である。
【図６】図１の商品前出し具を構成する側板を備えた基板の斜視図である。
【図７】図６のＹ線に沿って見た断面図である。
【図８】図１の商品前出し具を構成する商品前出し体の斜視図である。
【図９】図８の商品前出し体を後方の裏面から見た斜視図である。
【図１０】図１の商品前出し具を構成する引き出し体の斜視図である。
【図１１】図１０の引き出し体を後方から前方へ見た他の斜視図である。
【図１２】図１の商品前出し具における前出しを説明する図である。
【図１３】図１の商品前出し具における前出しを説明する他の図である。
【図１４】図１の商品が載置された商品前出し具の側面図である。
【図１５】図１４の商品前出し具の前出しを説明する図である。
【図１６】従来の商品前出し具の側面図である。
【図１７】図１６の従来の商品前出し具の前出しを説明する図である。
【発明を実施するための形態】
【００１９】
次に、本発明の実施の形態における商品前出し具を図１〜図１５を参照して説明する。本明細書中、「前後」、「上下」及び「左右」は、設置面に設置された状態における顧客側を正面とした方向又は位置を言う。商品前出し具１０は、設置面に載置されるものであって、基板１と、商品前出し体２と、引き出し体３と、側板４を有する。
【００２０】
商品前出し具１０において、基板１は、設置面に載置されると共に、商品が載置されるものを言う。基板１は、図６及び図７に示すように、中尺状の板状体の左右方向の中央で前後方向に延びる開口を形成することにより形成されたものであり、左の小基板１１ａと右の小基板１１ｂを備え、両小基板１１ａ、１１ｂの内側角部がガイドレール１１１となるものである。また、基板１の一方の側端から起立した側板４が形成され、側板４の上部には、基板１の前後長さと略同じ長さの中尺板状の引き出し体３を前後方向に移動自在にガイドするガイド溝４１１（第２ガイドレール）が形成されている。ガイド溝４１１の前後方向に所定のピッチで多数形成される扁平台形状の貫通孔は、引き出し体３の引き出しに伴う摩擦を低減するための孔である。
【００２１】
商品前出し具１０において、基板１の前端には、商品の転落を防止する高さの低い起立状の転落防止板８が形成され、転落防止板８の前面には、商品前出し具１０を、例えば棚板の前レールに固定するための係止片９が形成されている。また、基板１の後端で左右方向の中央には、バネ部材であるコイルバネ７の一端（後端）を固定するバネ第１係止部１１３が形成されている。コイルバネ７は、基板１と引き出し体３を接続し、引き出し体３は、引き出す際、コイルバネ７のバネ力に抗して引き出され、手を放すことで、引き出し体は元の位置に自動的に、復帰する。
【００２２】
商品前出し具１０において、基板１の左の小基板１１ａの裏面には、前後方向に延びる長溝１６が形成されている。長溝１６には、商品前出し体２の基板部２１の裏面に形成される下部基板部２１２ａの先端突起２１４が係止し、基板１に対する商品前出し体２の強い係止を確保し、基板１から商品前出し体２が脱落しないようにしている。
【００２３】
商品前出し具１０において、商品前出し体２は、基板１上又は基板１中を前後に移動自在に取り付けられる基板部２１と、基板部２１の後端から上方又はやや後方傾斜状に延びる前方の商品を押圧する商品押圧板２２を備えるものである。基板部２１の裏面には、引き出し体３と当接する第１当接部２４を有する。これにより、商品前出し体２は、引き出し体３と基板の裏面で当接する。
【００２４】
商品前出し体２は、具体的には、図８及び図９に示すように、商品押圧板２２が付設される上部基板部２１１と、上部基板部２１１の裏面から下方に延び次いで横方向外側に屈曲して延びる左右一対の下部基板部２１２ａ、２１２ｂと、を有する。これにより、上部基板部２１１と左右一対の下部基板部２１２ａ、２１２ｂ間の隙間２１３ａ、２１３ｂに、基板１のガイドレール１１１が係止することができる。
【００２５】
商品前出し体２において、左側の下部基板部２１２ａの左側の先端には、該先端から上方に少し起立し、下部基板部２１２ａの前後方向に延びる先端突起２１４が形成されている。この先端突起２１４は、基板１の裏面に形成された長溝１６に係止し、基板１から商品前出し体２が脱落しないような安定な係止を実現する。また、右側の下部基板部２１２ｂは、前後方向長さ途中で、切り欠かれており、下部基板部２１２ａの長さの半分程度の長さとなっている。これにより、下部基板部２１２ｂの後端には、第１当接部２４が形成されることになる。第１当接部２４は、斜め傾斜面を有する凹面を形成しており、引き出し体３の第２当接部２１２ｂと当接することで、商品前出し体２と引き出し体３の接続（当接）が可能となる。また、下部基板部２１２ｂの前後方向の長さを短くすることで、第１当接部２４が、商品押圧板２２より、前方に位置することになり、商品前出し体２を前方側から引っ張ることができ、商品前出し体２の前方移動が円滑となる。また、商品前出し具１０において、下部基板部２１２ａ、２１２ｂは、基板１より下方に突出する部分がなく、前後移動する際、下部基板部２１２ａ、２１２ｂが障害となることはない。
【００２６】
商品前出し具１０において、引き出し体３は、側板４の前後方向に延びるガイド溝（第２ガイドレール）４１１に前後に移動自在に係止する引き出し体本体部３１と、基板１の裏側に配設される係止板状体３２と、引き出し本体３１部と係止板状体３２を接続する側板４の外側に配設される外側連結帯部３３とを有し、係止板状体３２の前端部が、第２当接部３４となる。外側連結帯部３３と係止板状体３２は、背面視で略Ｌ字断面形状となっている。引き出し体本体部３１は、中尺状の板状体であり、先端には、把持部３９が形成さている。また、外側連結帯部３３は、引き出し体本体部３１の後方部の下端から下方に延びる略板状体である。本例の外側連結帯部３３は、前後方向の中央部を基板１の側板４と接触しない凹部とすることで、摩擦抵抗を低減している。また、係止板状体３２の前端の左端には、コイルバネ７の他端（前端）を固定するバネ第２係止部３５が付設され、係止板状体３２の前端の右半分には、係止板状体３２より起立する小突起３７が形成されている。なお、符号３６は係止板状体３２の後端の左端において起立する小突起であり、基板１の裏面に形成された溝レールに前後移動自在に係止し、引き出し体３の引き出し操作を円滑にする。すなわち、外側連結帯部３３は板状体であり、上端が前方へ引っ張られるため、捻じれが生じて、側板との摩擦抵抗が大きくなる傾向にあり、小突起３６は、この捻じれを防止する機能を果たす。第２当接部３４は、バネ第２係止部３５と小突起３７の間に位置する、係止板状体３２の先端部であり、該第１当接部２４の当接面（凹面）に対応する凸面を有する。
【００２７】
商品前出し具１０において、商品前出し体２の基板部２１の裏面の第１当接部２４と、引き出し体３の第２当接部３４は、該商品押圧板２２より前方位置で当接しており、引き出し体３を前方へ引き出すことで、商品前出し体２が前方へ引き出され、商品押圧板２２の前方に位置する載置商品が前出しされる。また、商品前出し具１０は、図１４に示すように、商品前出し体２の基板部２１の裏面の第１当接部２４と、引き出し体３の第２当接部３４を、商品押圧板２２より前方位置の当接位置としたため、待機状態において、商品押圧板２２を基板１の後方端近傍とすることができる。このため、商品押圧板２２の後方のデッドスペースを無くし、基板１上の載置商品の設置スペースを大きくでき、陳列効率を高めることができる。
【００２８】
次に、商品前出し具１０の使用方法について図１４及び図１５を参照して説明する。商品前出し具１０において、商品押圧板２２の前方には載置商品Ａが陳列されている。載置商品Ａは、基板１上に載っている。この際、引き出し体３は、コイルバネ７により、待機状態である基板１と同化するかのように、奥側に収容されている。商品群は前方の商品が売れることで、前方にスペースができる。この場合、顧客は、引き出し体３を把持して前方に引き出し、前方の商品を取ることができる。あるいは、作業者は、引き出し体３を前方に引き出し、手を放して、引き出し体３を自動的に、元の位置に復帰させ、最後尾の商品と商品押圧板２２の間のスペースに商品を補充することができる。また、商品前出し具１０は、商品前出し体２の第１係止部２４と、引き出し体３の第２係止部３４を基板１の厚み内に収納するため、嵩高となることがない。
【００２９】
本発明は、上記実施の形態例に限定されず、種々の変形を採ることができる。商品前出し具１０において、基板１と引き出し体３を接続するコイルバネ７は、設置を省略することができる。これにより、引き出し体３を手前に引き出した後は、手動で引き出し体３を元に位置に戻すことになる以外は、上記実施の形態例と同様の作用効果を奏する。また、商品前出し具１０において、第１当接面及び第２当接面は、上記実施の形態例に限定されず、第１当接面は、傾斜面を有する凹面以外の凹面、平坦面、凸面又は凹凸複合面であり、該第２当接面は、平坦面、凸面、凹面又は凸凹複合面を採ることができる。また、外側連結帯部３３は、前後方向の中央部が凹部のものに限定されず、内側が平坦面の板状体であってもよい。商品前出し具１０において、側板４の高さは低くてもよく、実質的に、側板４の無いものであってもよい。この場合、外側連結帯部３３は、不要であり、引き出し体体本体部３１と係止板状体３２が直接、接続されたものであってもよい。この場合においても、引き出し体３は、基板１に沿って配設されている。
【産業上の利用可能性】
【００３０】
本発明によれば、商品押圧板を基板の最後尾に位置されることが可能となり、商品押圧板の後方デッドスペースを無くし、基板上の載置商品の設置スペースを大きくでき、陳列効率を高めることができると共に、商品前出し体を前方側から引っ張ることになり、商品前出し体の前方移動が円滑となる。
商品前出し具１０は、設置面に載置されるものであって、基板１と、商品前出し体２と、引き出し体３と、側板４を有する。
【符号の説明】
【００３１】
１        基板
２        商品前出し体
３        引き出し体
４        側板
６        長溝
７        コイルバネ（バネ部材）
８        転落防止板
７        コイルバネ（バネ部材）
１０      商品前出し具
１１ａ    左の小基板
１１ｂ    右の小基板
２１      基板部
２２      商品押圧板
２１１    上部基板部
２１２（２１２ａ、２１２ｂ）    下部基板部
【図１】
2020171362.tif 000003
【図２】
2020171362.tif 000004
【図３】
2020171362.tif 000005
【図４】
2020171362.tif 000006
【図５】
2020171362.tif 000007
【図６】
2020171362.tif 000008
【図７】
2020171362.tif 000009
【図８】
2020171362.tif 000010
【図９】
2020171362.tif 000011
【図１０】
2020171362.tif 000012
【図１１】
2020171362.tif 000013
【図１２】
2020171362.tif 000014
【図１３】
2020171362.tif 000015
【図１４】
2020171362.tif 000016
【図１５】
2020171362.tif 000017
【図１６】
2020171362.tif 000018
【図１７】
2020171362.tif 000019